(57)【要約】      （修正有）【課題】受動光ネットワークの連続性をチェックするための方法を提供する。【解決手段】伝送ネットワーク２において連続性欠如をチェックするのに適したデータフレームを準備して伝送するための方法は、異なるサービス品質（ＱｏＳ（ｉ，ｇ））に関連付けられる後続のデータパケットの少なくとも１つのセットを提供するステップ、並びに１つのセットについて、そのセットのデータパケットの個数を求めるためのカウントマーカを提供するステップ、同じサービス品質（ＱｏＳ）を有するそのセットのパケットＱ（ｉ，ｇ，ＱｏＳ）とその次に続く対応するサービス品質マーカとを伝送するステップ、及びカウントマーカを伝送するステップを含む。【選択図】図１
2010246101.tif 000002
【特許請求の範囲】
【請求項１】
直列に接続された送出機（４；３０４）、伝送線路（８；３０８）、及び受信機（６；３０６）を備える伝送ネットワーク（２；３０２；５００）においてデータフレームを準備して伝送するための方法であって、
該方法は、以下のステップ、すなわち、引き続き
直列に配列されたデータパケット（Ｑ（ｉ））間で切断された後続のデータパケットの少なくとも１つの所定のセット（１５９）を提供すること（１１２）であって、各セット（１５９）は、空であるか又は少なくとも１つのパケット（Ｑ（ｉ，ｇ））によって形成され、同じセット（１５９）の各パケット（Ｑ（ｉ，ｇ））がもしあれば、該各パケット（Ｑ（ｉ，ｇ））は、少なくとも２つのサービス品質（ＱｏＳ）のセットの中の１つのサービス品質（ＱｏＳ（ｉ））に関連付けられる、提供するステップ（１１２）と、
各所定のセット（１５９）について、
該セット（１５９）のデータパケットの個数を求めるためのカウントマーカ（１８２）と、各サービス品質（ＱｏＳ）について異なるサービス品質マーカ（１８４、１８６、１８８）とを提供するステップと、
前記カウントマーカ（１８２）とすべてのサービス品質マーカ（１８４、１８６、１８８）とを伝送するステップと、
から成るステップを含むことを特徴とする、方法。
【請求項２】
前記方法は、同じサービス品質（ＱｏＳ）を有する前記セット（１５９）の前記パケット（Ｑ（ｉ，ｇ，Ｑｏｓ））がもしあれば、該パケット、及びその次に続く前記対応するサービス品質マーカ（１８４、１８６、１８８）を伝送するステップを含むことを特徴とする、請求項１に記載のデータフレームを準備して伝送するための方法。
【請求項３】
前記カウントマーカ（１８２）は、前記対応するサービス品質マーカ（１８８）の少なくとも１つの前に伝送されることを特徴とする、請求項１又は請求項２に記載のデータフレームを準備して伝送するための方法。
【請求項４】
前記少なくとも１つの切断されたセット（１５９）を提供することは、時間周期及び／又はデータ量に依存することを特徴とする、請求項１から請求項３までのいずれか一項に記載のデータフレームを準備して伝送するための方法。
【請求項５】
前記方法は、
前記カウントマーカ（１８２）及びその次に続く前記サービス品質マーカ（１８２、１８４、１８６）を含むシグナリング要素のグループ（１６８）を形成するステップ（１１６）と、
前記セット（１５９）の後に前記グループ（１６８）を入力するステップと、
同じサービス品質を有する前記対応するユーザデータパケットがもしあれば該データパケットの後に各サービス品質マーカを維持しつつ、同じサービス品質（ＱｏＳ）を有する前記パケット及び前記サービス品質マーカを収集することによって、前記セット（１５９）の前記ユーザデータパケット（１６０、１６２、１６４）及び前記グループ（１６８）のすべてのシグナリング要素（１８２、１８４、１８６、１８８）を含むデータフレームを、前記伝送ネットワーク（２；３０２；５００）を通じて伝送するステップと、
をさらに含むことを特徴とする、請求項１から請求項４までのいずれか一項に記載のデータフレームを準備して伝送するための方法。
【請求項６】
各サービス品質マーカ（１８４、１８６、１８８）は同じグループ識別子（ｇ）を含むことを特徴とする、請求項１から請求項５までのいずれか一項に記載のデータフレームを準備して伝送するための方法。
【請求項７】
各サービス品質（ＱｏＳ）は優先レベル（ｐ）に対応し、最も高い優先レベルは整数（ｐｍａｘ）に等しく、前記サービス品質マーカ（Ｍ（ＱｏＳ））は優先レベルマーカ（Ｍ（ｐ））であることを特徴とする、請求項１から請求項６までのいずれか一項に記載のデータフレームを準備して伝送するための方法。
【請求項８】
前記収集することは、異なる優先レベル（ｐ）を有するキューイングファイルを実施することによって実行されることを特徴とする、請求項５及び７に記載のデータフレームを準備して伝送するための方法。
【請求項９】
前記方法は、以下のステップ、すなわち、引き続き、
前記キューイングファイルの入力において、前記ユーザデータパケットのセット（１５９）及びその次に続く前記グループ（１６８）を伝送するステップ（１２０）と、
各セット（１５９）及びその次に続く該セットの対応するグループ（１６８）について、
最も高い優先レベル（ｐｍａｘ）以下の各優先レベル（ｐ）について、それぞれの前記キューイングファイル（Ｆ（ｐ））内へ、同じ優先度（ｐ）を有する前記セット（１５９）の前記パケットがもしあれば該パケットを、前記対応するキューイングファイル（Ｆ（ｐ））の入力において示された該パケットの配列順序を変更することなく入力する（１２４）と共に、最後に、前記対応する優先レベルマーカ（Ｍ（ｐ，ｑ））を入力するステップ（１２４）と、
前記カウントマーカ（１８２）を入力するステップと、
前記キューイングファイル（Ｆ（ｐ））に含まれる前記直列に配列されたデータを、最も高い優先レベルに対応するデータから最も低い優先レベルに対応するデータまで送出機出力データフレームに引き続き出力することによって、該データを前記優先レベル（ｐ）の降順に従って多重化するステップ（１２６）と、
から成るステップをさらに含むことを特徴とする、請求項８に記載のデータフレームを準備して伝送するための方法。
【請求項１０】
直列に接続された送出機（４；３０４）、伝送線路（８；３０８）、及び受信機（６；３０６）、並びに受信ユーザカウンタＵＣＲを備える伝送ネットワークにおいて連続性をチェックするための方法であって、該方法は、
請求項１から請求項９までのいずれか一項に規定された方法に従って準備されて伝送されたデータフレームを受信するように試みるステップと、
同じグループ（１６８）のすべてのサービス品質マーカ（１８４、１８６、１８８）が受信されるまで、前記受信ユーザカウンタＵＣＲによって受信機レベルでデータフレームのユーザデータパケットをカウントするステップと、
前記同じグループ（１６８）のカウントマーカ（１８２）を受信するステップと、
前記同じグループ（１６８）のすべての前記サービス品質マーカ（１８４、１８６、１８８）が受信された時の前記受信カウンタ（ＵＣＲ）のカウント値を、前記カウントマーカ（１８２）に含まれるパケットの総数と比較するステップと、
前記受信ユーザカウンタ値が、前記カウントマーカ（１８２）に含まれるパケットの総数よりも大きいときは、前記カウントマーカ（１８２）に含まれるパケットの総数を前記受信ユーザカウンタ（ＵＣＲ）のカウントされた値に減じることによって、前記受信ユーザカウンタ（ＵＣＲ）値を更新するステップと、
から成るステップを含むことを特徴とする、方法。
【請求項１１】
前記方法は、前記受信ユーザカウンタ値が、前記カウントマーカ（１８２）に含まれるパケットの総数よりも小さいときは、伝送問題を報告するステップ（２３４）を含むことを特徴とする、請求項１０に記載の連続性をチェックするための方法。
【請求項１２】
前記伝送ネットワークは、送出ユーザカウンタ（ＵＣＥ）を備え、
前記方法は、
データフレームいずれの伝送を開始する前に、前記送出ユーザカウンタ（ＵＣＥ）及び前記受信ユーザカウンタ（ＵＣＲ）が同じ値に設定される初期化ステップ（１０２）と、
最後のグループ（１６６）の受信から経過した現在の時間が所定のタイムアウト値（Ｔｏｕｔ）と比較されるステップ（２１４、２１８）の第１のループ（２０２）と、
前記タイムアウトが経過したときに伝送問題が示される報告ステップ（２１６）と、
を含むことを特徴とする、請求項１０又は請求項１１に記載の連続性をチェックするための方法。
【請求項１３】
連続性をチェックするステップ（１０８）は、
前記第１のループ（２０２）を組み込み、グループ（１６８）の最後の要素が調べられる第２のループ（２０４）であって、前記最後の要素は、前記カウントマーカ（１８２）及び前記サービス品質マーカ（１４、１８６、１８８）の前記セットに含まれる、第２のループ（２０４）と、
前記第２のループ（２０４）を組み込み、ユーザデータパケットの存在が調べられるステップの第３のループ（２０６）と、
前記第３のループ（２０６）を組み込み、受信されたユーザデータパケットの個数が前記受信ユーザカウンタ（ＵＣＲ）によってカウントされる第４のループ（２０８）と、
を含むことを特徴とする、請求項１２に記載の連続性をチェックするための方法。
【請求項１４】
前記方法は、
受信機保護ユニットによって、前記送出機により以前に送信された前記カウントマーカ、前記サービス品質マーカを、前記受信機及び前記送出機を通じて送出機保護ユニットへ返信するステップ（４０８、４２６）を含むことを特徴とする、請求項１２に記載の連続性をチェックするための方法。
【請求項１５】
同じ前記ステップ（４０８）において、前記受信機保護ユニット（３１２）は、すべての前記ユーザデータパケットも前記送出機保護ユニット（３１０）へ送信することを特徴とする、請求項１４に記載の連続性をチェックするための方法。
【請求項１６】
前記方法は、
それぞれの異なるパラメータ（θ１、θ２、θ３）に従って前記受信機（３０６）から前記受信機保護ユニット（３１２）へサブユニット（３３４、３３６、３３８）に並列に前記データを出力するステップと、
前記保護受信機ユニット（３１２）によって、各異なるユーザデータ部分カウンタ（ＵＣＲ（θ１）、ＵＣＲ（θ２）、ＵＣＲ（θ３））について、対応するサブユニット（３３４、３３６、３３８）により受信され且つ該サブユニット（３３４、３３６、３３８）に関連付けられる同じパラメータ（θ１、θ２、θ３）に関連するユーザデータパケットの個数をカウントすることにより、前記異なるユーザデータ部分カウンタ（ＵＣＲ（θ１）、ＵＣＲ（θ２）、ＵＣＲ（θ３））の値を別個に求めるステップ（４２６）と、
サービス品質マーカがサブユニットによって受信されると、前記受信機保護ユニット（３１２）によって、前記サービス品質マーカを受信した前記サブユニットに関連付けられる前記ユーザデータ部分カウンタが達した値を前記送出機保護ユニット（３１０）へ返信すると共に、前記関連付けられるユーザデータ部分カウンタを０にリセットするステップと、
を含むことを特徴とする、請求項１４に記載の連続性をチェックするための方法。
【請求項１７】
前記伝送ネットワーク（２、３０２）は、受動光ネットワーク（５００）であり、
上りリンク方向では、前記送出機（４、３０４）は、光ネットワークユニット（５１２、５３２、５１４、５３４、５１６、５３６）であり、
前記受信機（６、３０６）は、光回線終端装置（５０６、５２６）である
ことを特徴とする、請求項１０から請求項１６までのいずれか一項に記載の連続性をチェックするための方法。
【請求項１８】
前記伝送ネットワーク（２、３０２）は、受動光ネットワーク（５００）であり、
下りリンク方向では、前記受信機（６、３０６）は、光ネットワークユニット（５１２、５３２、５１４、５３４、５１６、５３６）であり、
前記送出機（４、３０４）は、光回線終端装置（５０６、５２６）である
ことを特徴とする、請求項１０から請求項１６までのいずれか一項に記載の連続性をチェックするための方法。
【請求項１９】
直列に接続された送出機保護ユニット（１０；３１０）、送出機（４；３０４）、伝送線路（８；３０８）、及び受信機（６；３０６）を備える伝送ネットワークであって、
前記保護送出機ユニット（１０；３１０）は、直列に配列されたデータパケット（Ｑ（ｉ））間で切断された後続のデータパケットの少なくとも１つのセット（１５９）を提供することができ、各セット（１５０）は、空であるか又は少なくとも１つのパケット（Ｑ（ｉ，ｇ））によって形成され、同じセット（１５９）の各パケット（Ｑ（ｉ，ｇ））は、少なくとも２つのサービス品質（ＱｏＳ）のセットの中の１つのサービス品質（ＱｏＳ（ｉ））に関連付けられ、
前記送出機保護ユニット（１０、３１０）は、各所定のセット（１５９）について、該セット（１５９）のデータパケットの個数を求めるためのカウントマーカ（１８２）及び異なるサービス品質（ＱｏＳ）にそれぞれ対応する少なくとも２つのサービス品質マーカ（１８４、１８６、１８８）を提供することができ、
前記送出機は、同じサービス品質（ＱｏＳ）を有する前記セット（１５９）の前記パケット（Ｑ（ｉ，ｇ，ＱｏＳ））がもしあれば該パケット及びその次に続く対応するサービス品質マーカ（１８４、１８６、１８８）を送信することができると共に、前記カウントマーカ（１８２）を送信することができることを特徴とする、伝送ネットワーク。
【請求項２０】
前記送出機保護ユニット（１０；３１０）は、前記カウントマーカ（１８２）及びその次に続く前記サービス品質マーカ（１８４、１８６、１８８）を含むシグナリング要素のグループ（１６８）を形成することができ、該グループ（１６８）を前記セット（１５９）の後に入力することができ、
前記送出機は、同じサービス品質を有する前記対応するユーザデータパケットがもしあれば該データパケットの後に各サービス品質マーカを維持しつつ、同じサービス品質（ＱｏＳ）を有する前記パケット及び前記サービス品質マーカを収集することによって、前記セット（１５９）の前記ユーザデータパケット（１６０、１６２、１６４）及び前記グループ（１６８）の前記シグナリング要素（１８２、１８４、１８６、１８８）を含むフレームを前記伝送ネットワーク（２；３０２；５００）を通じて伝送することができることを特徴とする、請求項１９に記載の伝送ネットワーク。
【請求項２１】
前記伝送ネットワークは、前記伝送線路（８；３０８）に接続され且つ前記送出機（４；３０４）によって伝送された前記データを受信できる受信機（６；３０６）、及び請求項１０から請求項１８までのいずれか一項に規定された前記連続性チェックを実行できる保護受信機ユニット（１２；３１２）も備えることを特徴とする、請求項１９又は請求項２０に記載の伝送ネットワーク。
【請求項２２】
前記伝送ネットワーク（２、３０２）は、受動光ネットワーク（５００）であり、
上りリンク方向では、前記送出機（４；３０４）は、光ネットワークユニット（５１２、５３２、５１４、５３４、５１６、５３６）であり、
前記受信機（６；３０６）は、光回線終端装置（５０６；５２６）である
ことを特徴とする、請求項１９から請求項２１までのいずれか一項に記載の伝送ネットワーク。
【請求項２３】
前記伝送ネットワーク（２；３０２）は、受動光ネットワークであり、
下りリンク方向では、前記受信機（６；３０６）は、光ネットワークユニット（５１２、５３２、５１４、５３４、５１６、５３６）であり、
前記送出機（４；３０４）は、光回線終端装置（５０６；５２６）である
ことを特徴とする、請求項１９から請求項２２までのいずれか一項に記載の伝送ネットワーク。
【請求項２４】
すべての必要なコード命令であって、該命令がプロセッサによって実行されると請求項１から請求項１８までのいずれか一項に規定された方法のステップを実行する、すべての必要なコード命令を含む、コンピュータプログラム製品。
【発明の詳細な説明】
【技術分野】
【０００１】
本発明は、伝送ネットワーク、特に受動光ネットワーク（ＰＯＮ）において連続性欠如（continuity default）をチェックするための方法、及び該方法が実施される伝送ネットワークに関する。
【背景技術】
【０００２】
受動光ネットワークは、光ネットワークのアクセス部の２つのアーキテクチャのうちの１つとして既知である。このアーキテクチャは、一対多（Point to Multipoint）アーキテクチャとも呼ばれる。
【０００３】
受動光ネットワークを保護するための保護メカニズムは、サービスの高い品質を確保するのに必要であり、特に、このような保護付きサービス品質を申し込んだいくつかのユーザにサービスの良好な使用可能性を確保するのに必要である。
【０００４】
１つの手法は、特定のデータフレームを受動光ネットワークプロトコル内に組み込むことによって、ある程度低レベルで規定された国際電気通信連合−電気通信(International Telecommunication Union - Telecommunication)（ＩＴＵ−Ｔ）勧告により規定された保護メカニズムを実施することである。受動光ネットワークを保護するのによく適したこの保護メカニズムでは、例えば光ネットワークユニット(Optical Network Units)（ＯＮＵ）及び光回線終端装置(Optical Line Terminations)（ＯＬＴ）等の受動光ネットワーク機器が特定の電子部品を組み込んでいることが必要とされる。保護されていない機器及び保護された機器の２つの製品ライン、又はすべての機器が、実装された保護メカニズムを含む単一の製品ラインのいずれかを開発することが必要とされる。いずれにしても、これによって、機器（ＯＮＵ及びＯＬＴ）のハードウェアの複雑度が増加し、それに応じて、受動光ネットワークのコストが増大する。
【０００５】
第２の手法は、第２のレベルで構築され、保護された機器に対してのみインストールされたイーサネット（登録商標）メカニズムを使用することにより、ＰＯＮ機器の外部で保護機能を実施することである。このイーサネット（登録商標）メカニズムは、ＩＴＵ−Ｔ勧告Ｇ．８０３１／Ｙ．１３４２（イーサネット（登録商標）保護スイッチング）及びＩＴＵ−Ｔ勧告Ｙ１７３１（イーサネット（登録商標）ベースネットワークのためのＯＡＭ機能及びメカニズム）に規定されている。イーサネット（登録商標）メカニズムによれば、ＣＣＭデータエンティティと呼ばれるいくつかのデータエンティティが、送出機でデータのフローに追加されて、ＣＣＭの前に送信されるユーザデータエンティティの個数を示す。なお、ＣＣＭは、連続性チェックメッセージ(Continuity Check Message)の略語である。受信機側では、受信されたユーザデータエンティティの個数が、ＣＣＭデータエンティティに含まれる基準カウントと照合される。
【先行技術文献】
【非特許文献】
【０００６】
【非特許文献１】GEHRKE G他：「QoE Estimation of compound services in significance-aware packet networks」 BELL LABS TECHINCAL JOURNAL, WILEY, CA. US, vol. 13, no. 3, 21 September 2008 (2008-09-21), pages 95-109, XP001518484 ISSN: 1089-7089 *page 103, left-hand column, line 39 - page 105, right-hand column, line 27 *figures 5, 6 *
【非特許文献２】ITU:「Draft ITU-T Recommendation Y. 1563 (ex Y. ETHperf) LC Comment Res 02. Ethernet（登録商標） frame transfer and availability performance」 [Online], December 2008 (2008-12), pages 1-43, XP002543048, Retrieved from the Internet: URL: http://wftp3.itu.int/packet/Dec2008_Q17/Y.1563_LC_Res02.doc> [retrieved on 2009-08-25]
【発明の概要】
【発明が解決しようとする課題】
【０００７】
しかしながら、受動光ネットワークシステムは、ユーザデータエンティティの配列を並べ替えることができるいくつかのサービス品質（ＱｏＳ）管理メカニズムを有する。いくつかの並べ替えが受動光ネットワークシステム内で行われると、イーサネット（登録商標）メカニズムを適用することはできない。並べ替えに起因して、２つのＣＣＭデータエンティティ内に事前に組み込まれたいくつかのユーザデータエンティティ又はすべてのユーザデータエンティティが、それらを組み込んでいるＣＣＭデータエンティティに前後して到着する可能性がある。
【０００８】
技術的な問題は、サービス品質管理メカニズムによりユーザデータエンティティに対して実行される並べ替えに関わらず動作する従来の受動光ネットワーク機器（光ネットワークユニット及び光回線終端装置）の外部で実施される受動光ネットワークの連続性をチェックするための方法を求めることである。
【課題を解決するための手段】
【０００９】
したがって、本発明は、直列に接続された送出機、伝送線路、及び受信機を備える伝送ネットワークにおいてデータフレームを準備して伝送するための方法であって、
該方法は、以下のステップ、すなわち、引き続き
直列に配列されたデータパケットＱ（ｉ）間で切断された後続のデータパケットの少なくとも１つの所定のセットを提供することであって、各セットは、空であるか又は少なくとも１つのパケットＱ（ｉ，ｇ）によって形成され、同じセットの各パケットＱ（ｉ，ｇ）がもしあれば、その各パケットＱ（ｉ，ｇ）は、少なくとも２つのサービス品質（ＱｏＳ）のセットの中の１つのサービス品質（ＱｏＳ（ｉ））に関連付けられる、提供するステップと、
各所定のセットについて、
そのセットのデータパケットの個数を求めるためのカウントマーカと、各サービス品質（ＱｏＳ）について異なるサービス品質マーカとを提供するステップと、
カウントマーカとすべてのサービス品質マーカとを伝送するステップと、
から成るステップを含むことを特徴とする、方法に関する。
【００１０】
特定の実施の形態によれば、データフレームを準備して伝送するための方法は、以下の特徴：
−本方法は、同じサービス品質（ＱｏＳ）を有するセットのパケットＱ（ｉ，ｇ，Ｑｏｓ）がもしあれば、そのパケット、及びその次に続く対応するサービス品質マーカを伝送するステップを含む、
−カウントマーカは、対応するサービス品質マーカの少なくとも１つの前に伝送される、
−少なくとも１つの切断されたセットを提供することは、時間周期及び／又はデータ量に依存する、
−本方法は、
カウントマーカ及びその次に続くサービス品質マーカを含むシグナリング要素のグループを形成するステップと、
セットの後にグループを入力するステップと、
同じサービス品質を有する対応するユーザデータパケットがもしあればそのデータパケットの後に各サービス品質マーカを維持しつつ、同じサービス品質（ＱｏＳ）を有するパケット及びサービス品質マーカを収集することによって、セットのユーザデータパケット及びグループのすべてのシグナリング要素を含むデータフレームを伝送ネットワークを通じて伝送するステップと、
をさらに含む、
−各サービス品質マーカは同じグループ識別子ｇを含む、
−各サービス品質（ＱｏＳ）は、優先レベルｐに対応し、最も高い優先レベルは、整数ｐｍａｘに等しく、サービス品質マーカＭ（ＱｏＳ）は、優先レベルマーカＭ（ｐ）である、
−収集することは、異なる優先レベルｐを有するキューイングファイルを実施することによって実行される、
−本方法は、以下のステップ、すなわち、引き続き、
キューイングファイルの入力において、ユーザデータパケットのセット及びその次に続くグループを伝送するステップと、
各セット及びその次に続くその対応するグループについて、
最も高い優先レベルｐｍａｘ以下の各優先レベルｐについて、それぞれのキューイングファイルＦ（ｐ）内へ、同じ優先度ｐを有するセットのパケットがもしあれば該パケットを、対応するキューイングファイルＦ（ｐ）の入力において示された該パケットの配列順序を変更することなく入力すると共に、最後に、対応する優先レベルマーカＭ（ｐ，ｑ）を入力するステップと、
カウントマーカを入力するステップと、
キューイングファイルＦ（ｐ）に含まれる直列に配列されたデータを、最も高い優先レベルに対応するデータから最も低い優先レベルに対応するデータまで送出機出力データフレームに引き続き出力することによって、データを優先レベルｐの降順に従って多重化するステップと、
から成るステップをさらに含む、
のうちの１つ又は複数を含む。
【００１１】
本発明は、直列に接続された送出機、伝送線路、及び受信機、並びに受信ユーザカウンタＵＣＲを備える伝送ネットワークにおいて連続性をチェックするための方法であって、該方法は、
本明細書において上記で規定されたデータフレームを準備して伝送するための方法に従って準備されて伝送されたデータフレームを受信するように試みるステップと、
同じグループのすべてのサービス品質マーカが受信されるまで、受信ユーザカウンタＵＣＲによって受信機レベルでデータフレームのユーザデータパケットをカウントするステップと、
同じグループのカウントマーカを受信するステップと、
同じグループのすべてのサービス品質マーカが受信された時の受信カウンタＵＣＲのカウント値を、カウントマーカに含まれるパケットの総数と比較するステップと、
受信ユーザカウンタ値が、カウントマーカに含まれるパケットの総数よりも大きいときは、カウントマーカに含まれるパケットの総数を受信ユーザカウンタＵＣＲのカウントされた値に減じることによって、受信ユーザカウンタＵＣＲ値を更新するステップと、
から成るステップを含むことを特徴とする、方法にも関する。
【００１２】
特定の実施の形態によれば、連続性をチェックするための方法は、以下の特徴：
−本方法は、受信ユーザカウンタ値が、カウントマーカに含まれるパケットの総数よりも小さいときは、伝送問題を報告するステップを含む、
−伝送ネットワークは、送出ユーザカウンタＵＣＥを備え、本方法は、
データフレームのいずれの伝送を開始する前にも、送出ユーザカウンタＵＣＥ及び受信ユーザカウンタＵＣＲが同じ値に設定される初期化ステップと、
最後のグループの受信から経過した現在の時間が所定のタイムアウト値Ｔｏｕｔと比較されるステップの第１のループと、
タイムアウトが経過したときに伝送問題が示される報告ステップと、
を含む、
−連続性をチェックするステップは、
第１のループを組み込み、グループの最後の要素が調べられる第２のループであって、最後の要素は、カウントマーカ及びサービス品質マーカのセットに含まれる、第２のループと、
第２のループを組み込み、ユーザデータパケットの存在が調べられるステップの第３のループと、
第３のループを組み込み、受信されたユーザデータパケットの個数が受信ユーザカウンタＵＣＲによってカウントされる第４のループと、
を含む、
−連続性をチェックする方法は、
受信機保護ユニットによって、送出機により以前に送信されたカウントマーカ、サービス品質マーカを、受信機及び送出機を通じて送出機保護ユニットへ返信するステップを含む、
−同じステップにおいて、受信機保護ユニットは、すべてのユーザデータパケットも送出機保護ユニットへ送信する、
−本方法は、
それぞれの異なるパラメータθ１、θ２、θ３に従って受信機から受信機保護ユニットへサブユニットに並列にデータを出力するステップと、
保護受信機ユニットによって、各異なるユーザデータ部分カウンタＵＣＲ（θ１）、ＵＣＲ（θ２）、ＵＣＲ（θ３）について、対応するサブユニットにより受信され且つそのサブユニットに関連付けられる同じパラメータθ１、θ２、θ３に関連するユーザデータパケットの個数をカウントすることにより、異なるユーザデータ部分カウンタＵＣＲ（θ１）、ＵＣＲ（θ２）、ＵＣＲ（θ３）の値を別個に求めるステップと、
サービス品質マーカがサブユニットによって受信されると、受信機保護ユニットによって、サービス品質マーカを受信したサブユニットに関連付けられるユーザデータ部分カウンタが達した値を送出機保護ユニットへ返信すると共に、関連付けられるユーザデータ部分カウンタを０にリセットするステップと、
を含む、
−伝送ネットワークは、受動光ネットワークであり、上りリンク方向では、送出機は、光ネットワークユニットであり、受信機は、光回線終端装置である、
−伝送ネットワークは、受動光ネットワークであり、下りリンク方向では、受信機は、光ネットワークユニットであり、送出機は、光回線終端装置である、
のうちの１つ又は複数を含む。
【００１３】
本発明は、直列に接続された送出機保護ユニット、送出機、伝送線路、及び受信機を備える伝送ネットワークであって、
保護送出機ユニットは、直列に配列されたデータパケットＱ（ｉ）間で切断された後続のデータパケットの少なくとも１つのセットを提供することができ、各セットは、空であるか又は少なくとも１つのパケットＱ（ｉ，ｇ）によって形成され、同じセットの各パケットＱ（ｉ，ｇ）は、少なくとも２つのサービス品質（ＱｏＳ）のセットの中の１つのサービス品質（ＱｏＳ（ｉ））に関連付けられ、
送出機保護ユニットは、各所定のセットについて、そのセットのデータパケットの個数を求めるためのカウントマーカ及び異なるサービス品質（ＱｏＳ）にそれぞれ対応する少なくとも２つのサービス品質マーカを提供することができ、
送出機は、同じサービス品質（ＱｏＳ）を有するセットのパケットＱ（ｉ，ｇ，ＱｏＳ）がもしあれば該パケット及びその次に続く対応するサービス品質マーカを送信することができ、カウントマーカを送信することができることを特徴とする、伝送ネットワークにも関する。
【００１４】
特定の実施の形態によれば、伝送ネットワークは、以下の特徴：
−送出機保護ユニットは、カウントマーカ及びその次に続くサービス品質マーカを含むシグナリング要素のグループを形成することができ、該グループをセットの後に入力することができ、
−送出機は、同じサービス品質を有する対応するユーザデータパケットがもしあればそのデータパケットの後に各サービス品質マーカを維持しつつ、同じサービス品質（ＱｏＳ）を有するパケット及びサービス品質マーカを収集することによって、セットのユーザデータパケット及びグループのシグナリング要素を含むフレームを伝送ネットワークを通じて伝送することができ、
−該伝送ネットワークは、伝送線路に接続され且つ送出機によって伝送されたデータを受信できる受信機、及び本明細書において上記で規定された連続性チェックを実行できる保護受信機ユニットも備える、
−伝送ネットワークは、受動光ネットワークであり、上りリンク方向では、送出機は、光ネットワークユニットであり、受信機は、光回線終端装置である、
−伝送ネットワークは、受動光ネットワークであり、下りリンク方向では、受信機は、光ネットワークユニットであり、送出機は、光回線終端装置である、
のうちの１つ又は複数を含む。
【００１５】
本発明は、すべての必要なコード命令であって、該命令がプロセッサによって実行されると本明細書において上記で規定された方法のステップを実行する、すべての必要なコード命令を含む、コンピュータプログラム製品にも関する。
【００１６】
以下の説明は、図面に関して単に例として与えられたものであるが、以下の説明を読むことによって本発明のより良い理解が促進される。
【図面の簡単な説明】
【００１７】
【図１】本発明の方法を実施する伝送ネットワークの第１の実施形態である。
【図２】図１の伝送ネットワークにおいて実施される連続性をチェックするための方法のフローチャートである。
【図３】図２のステップに起因し、且つ同じユーザデータパケットを有する途切れのない連続したデータフローのタイムチャートであり、１つのデータフレームを有する第１のデータフローが、送出機のデータ順序再配列ユニットの前に見られ、第２のデータフローが、データ順序再配列ユニット内で３つのデータストリームに分割され、各ストリームは、対応するデータフレームを有し、１つのデータフレームを有する第３のデータフローは、準備されたデータフレームとして送出機の出力に見られる。
【図４】図２で説明したフローチャートの一部として受信機レベルで実行される連続性をチェックするためのステップのフローチャートである。
【図５】本発明の方法を実施する伝送システムの第２の実施形態である。
【図６】図５の伝送システムにおいて実施される連続性をチェックするための方法のフローチャートである。
【図７】図６で説明した連続性をチェックするための方法の一変形のフローチャートである。
【図８】連続性をチェックするための方法が実施される受動光ネットワーク図である。
【発明を実施するための形態】
【００１８】
図１によれば、伝送システム２は、少なくとも１つの送出機４及び少なくとも１つの受信機６を備える。図１には、１つの送出機４のみが示され、１つの受信機６のみが示されており、送出機４及び受信機６は、物理リンク８又は伝送線路によって互いに接続されている。
【００１９】
伝送システム２は、データリンク１４を通じて送出機４に接続された保護送出機ユニット１０、及びデータリンク１６を通じて受信機６に接続された保護受信機ユニット１２も備える。
【００２０】
保護送出機ユニット１０は、送出機４に接続された出力端子ポート１８、及び入力端子ポート２０を有する。
【００２１】
保護送出機ユニット１０の入力端子ポート２０は、例えば、スイッチングユニット２２の単一の出力に接続され、スイッチングユニット２２は、入力において３つの通信データユーザ端末２４、２６、２８に接続されている。
【００２２】
保護送出機ユニット１０は、図１ではスイッチングユニット２２から、直列に配列されたユーザデータパケットＱ（ｉ）のストリームを受信することができる。ｉは、１つのユーザデータパケットを識別するための整数である。
【００２３】
保護送出機１０は、ユーザデータパケットＱ（ｉ）のストリームを、ユーザデータパケットＱ（ｉ，ｇ）のいくつかのセットＳ（ｇ）に切断することができる。各セットＳ（ｇ）は、異なるグループ識別子ｇによって識別される。
【００２４】
切断は、保護送出機１０の入力端子２０において受信された所定のデータ量若しくは所定の時間周期又はそれらの双方のいずれかに依存する。
【００２５】
保護送出機ユニット１０は、同じセットＳ（ｇ）のユーザデータパケットＱ（ｉ，ｇ）の前、後、又は間にシグナリングデータを追加し、セットＳ（ｇ）を形成するこれらのユーザデータパケットＱ（ｉ，ｇ）をそこに追加されたシグナリングデータと共に送出機４へ送信することもできる。
【００２６】
ユーザデータパケットＱ（ｉ，ｇ）の各セットＳ（ｇ）は、ユーザデータパケットＱ（ｉ，ｇ，ＱｏＳ）を含み、各ユーザデータパケットは、ＱｏＳによって識別されるサービス品質のレベルに関連付けられる。
【００２７】
各ユーザデータパケットは、例えば、ビデオサービス、通話サービス、又は双方向データ交換サービス等のサービスに関連している。
【００２８】
サービスのタイプは、固有のサービス品質（ＱｏＳ）に関係している。より具体的には、ビデオデータパケット、電話データパケットのようないくつかのサービスは、リアルタイムの伝送要件に起因して、後続のパケット間でより大きな時間遅延の変動を許容する余裕があり得る単純なファイルデータ転送の場合よりも、伝送について高い優先度レベルを有する。
【００２９】
本明細書では、特定の例として、サービス品質は優先度レベルに限定されているが、一般に、サービス品質の概念はより広いものである。
【００３０】
したがって、ユーザデータパケットのセットＳ（ｇ）は、空であるか、又は１つ若しくはいくつかの異なる優先レベルｐで引き続き送信される少なくとも１つのユーザデータＱ（ｉ，ｇ，ｐ）パケットを含む。
【００３１】
保護送出機ユニット１０は、ユーザデータパケットの切断されたセットＳ（ｇ）を、それらユーザデータパケットに対応する追加されたシグナリングデータと共に送出機４へ伝送することができる。
【００３２】
保護受信機ユニット１２は、受信機６に接続された入力端子３０を有し、保護送出機ユニット１０によって伝送されたユーザデータパケットＱ（ｉ）及びシグナリングデータを、送出機４及び受信機６を通じて受信することができる。
【００３３】
保護受信機ユニット１２は、データパケットＱ（ｉ）及びシグナリングデータを処理するための、例えばメモリ３４を有するマイクロプロセッサ３２等の処理手段を備える。
【００３４】
受信機６は、伝送線路８を通じて送出機４に接続された第１の端子３６、及び保護受信機ユニット１２の端子３０に接続された第２の端子３８を有する。
【００３５】
送出機４は、保護送出機ユニット１０の端子１８に接続された第１の端子４０、及び受信機６の第１の端子３６に接続された第２の端子４２を有する。
【００３６】
送出機４は、入力４６によって送出機の第１の端子４０に接続され且つ出力４８によって送出機の第２の端子４２に接続されたデータ順序再配列ユニット４４を備える。
【００３７】
データ順序再配列ユニット４４は、保護送出機ユニット１０から、セットＳ（ｇ）に切断されたユーザデータパケットＱ（ｉ，ｇ，ｐ）を、対応する追加されたシグナリングデータと共に受信し、それらユーザデータパケットに関連付けられるサービス品質ＱｏＳに従ってデータ順序を再配列することができる。
【００３８】
データ順序再配列ユニット４４は、この例では、優先レベルに従ってデータを再配列することに限定されており、したがって、優先度管理ユニットである。
【００３９】
データ順序再配列ユニット４４は、多重分離ユニット５０を備える。多重分離ユニット５０は、第１の端子４６に接続され、送出機保護ユニット１０からの受信データを、ここでは３つのバッファであるバッファ５２、５４、５６のセットに多重分離することができる。これらのバッファ５２、５４、５６は、先入れ先出しデータ構造及び優先レベルｐを有する異なるキューイングファイルを構成する。優先レベルｐは、ここでは１〜３に及ぶ３つの優先レベルの中から割り当てられる。
【００４０】
図１の最も下位に示す第１のキューイングファイルバッファ５２は、１に等しい下位優先レベルに割り当てられている。
【００４１】
図１の中位に示す第２のキューイングファイルバッファ５４は、２に等しい中間優先レベルに割り当てられている。
【００４２】
図１の最も上位に示す第３のキューイングファイルバッファ５６は、３に等しい高優先レベルに割り当てられている。ここでは、優先レベル３が、最も高い優先レベルであり、すべての優先レベルの整数の中で最も大きな数である。この最も大きな数は、一般に、ｐｍａｘによって示される。
【００４３】
データ順序再配列ユニット４４は、多重化ユニット５８も備える。多重化ユニット５８は、その入力においてキューイングファイルバッファ５２、５４、５６の各それぞれの出力に接続され、その出力がデータ順序再配列ユニット４４の第２の端子４８に接続されている。
【００４４】
一例として、多重化ユニット５８は、より高い優先レベルを有するバッファが最初にアンロードされて、１つのバッファに含まれるすべてのデータを出力することにより、優先レベルの降順(decreasing order)に従ってデータを再配列することができる。ここでは、第３のキューイングファイルバッファ５６が最初に空にされ、それに続いて、第２のキューイングファイルバッファ５４が空にされ、最後に第１のキューイングファイルバッファ５２が空にされる。
【００４５】
一変形では、データ順序再配列ユニット４４は、優先レベルとは異なるパラメータに基づいてより複雑な再配列アルゴリズムを実行することができ、キューイングファイルを並列に有するサーバとは異なる。
【００４６】
例えば、データ順序再配列ユニットは、キューイングファイルを並列に有するサーバであり、異なる優先レベルが各キューイングファイルに割り当てられ、各ファイルは、そのファイルに割り当てられた優先レベルに比例したそれぞれの異なるレートでアンロードされる。含まれるパケットの個数は、出力におけるスループットに依存する。
【００４７】
図２によれば、連続性をチェックするための方法は、ステップのセット１００を含む。
【００４８】
ステップのセット１００は、初期化ステップ１０２、送出機４の出力４２において出力されるデータフレームを準備するための後続のステップのセット１０４、定期的に連続性欠如ステータスを報告する少なくとも１つのステップを含む連続性チェックステップ１０８、連続性欠如を検出した場合に冗長伝送経路へのスイッチを起動するためのステップ１１０を含む。セット１０４は、後続のステップ１１２、１１４、１１６、１１８、１２２、１２４、１２６を含む。
【００４９】
初期化ステップ１０２において、保護送出機ユニット１０からパケットＱ（ｉ，ｇ，ｐ）のいずれかの伝送を開始する前に、含まれる第１の所定の基準数が、送出ユーザカウンタＵＣＥに設定され、第２の所定の基準数が受信ユーザカウンタＵＣＲに設定される。ここでは、送出ユーザカウンタＵＣＥ及び受信ユーザカウンタＵＣＲは、例えば０等の同じ値に設定される。
【００５０】
後続のステップ１１２において、送出機保護ユニット１０は、周期的に又はデータ量に基づいて、受信ユーザデータパケットＱ（ｉ）がもしあれば、その受信ユーザデータパケットＱ（ｉ）を、後続のデータパケットＱ（ｉ，ｇ）のセットＳ（ｇ）に切断する。切断された各セットＳ（ｇ）は、空であるか又は少なくとも１つのパケットＱ（ｉ，ｇ）によって形成され、同じセットＳ（ｇ）の各パケットＱ（ｉ，ｇ）は、少なくとも２つの優先レベルのセットの中の優先レベルｐに関連付けられている。
【００５１】
次に、ステップ１１４において、現在のセットＳ（ｇ）について、送出機保護ユニット１０は、送出ユーザカウンタＵＣＥによってカウントされたセットＳ（ｇ）のユーザデータパケットの総数を含むカウントマーカＣ（ｇ）を提供する。
【００５２】
次のステップ１１６において、送出機保護ユニット１０は、シグナリング要素のグループＧ（ｇ）を形成する。このシグナリング要素のグループＧ（ｇ）は、現在のセットＳ（ｇ）に関連付けられ、カウントマーカＣ（ｇ）及びその次に続く少なくとも２つの優先レベルマーカＭ（ｇ，ｐ）を含む。各優先レベルマーカＭ（ｇ，ｐ）は、同じグループ識別子ｇ及び関連付けられるそれぞれの優先レベルｐを含む。最も高い優先レベルは整数ｐｍａｘに等しい。
【００５３】
すべてのマーカは、ここでは、関連する送出機４に割り当てられた送出機識別子ｅも含む。
【００５４】
後続のステップ１１８において、送出機保護ユニット１０は、ユーザデータパケットＱ（ｉ，ｇ，ｐ）のセットＳ（ｇ）を、このセットＳ（ｇ）の次に続くシグナリングデータＧ（ｇ）と共に送出機４へ伝送する。
【００５５】
各セットＳ（ｇ）及びその次に続くそのＳ（ｇ）に対応するグループＧ（ｇ）について、データ順序再配列ユニット４４は、以下のステップのセットを実行する。
【００５６】
最初に、ステップ１２２において、多重分離ユニット５０が、最も高い優先レベルｐｍａｘを有するキューイングファイルバッファＦ（ｐｍａｘ）に、最初にカウントマーカＣ（ｇ）を入力し、最後にセットＳ（ｇ）及び最も高い優先レベルに対応するレベル優先度マーカＭ（ｇ，ｐｍａｘ）を入力する。
【００５７】
後続のステップ１２４において、最も高い優先レベルｐｍａｘよりも低い各優先レベルｐについて、多重分離ユニット５０は、その優先レベルｐに対応するそれぞれのキューイングファイルバッファＦ（ｐ）に、最初に、優先度ｐを有するセットＳ（ｇ）のパケットＱ（ｉ，ｇ，ｐ）がもしあればそれらパケットを、多重分離ユニット５０の入力において示されたそれらパケットの配列順序を変更することなく入力し、最後に、レベル優先度マーカＭ（ｇ，ｐ）を入力する。
【００５８】
一例として、後続のステップ１２６において、多重化ユニット５８は、キューイングファイルバッファＦ（ｐ）に含まれる直列に配列されたデータを、優先レベルｐの降順に従って多重化する。最も高い優先レベルを有するバッファからのデータは、最初に出力され、その後に、関連する優先レベルの降順に従って並べられたバッファからのデータが続き、伝送線路８に伝送される。このようにして、出力フレームＦｒ（ｇ）が得られる。
【００５９】
図３によれば、セットＳ（ｇ）の処理の一例が、３つのステージ１５２、１５４、１５６に示されている。第１のステージ１５２は、ステップ１１８の後に保護送出機ユニット１０の出力１８において観測されるデータに対応し、第２のステージ１５４は、ステップ１２４の後にキューイングファイルバッファレベルにおいて観測されるデータに対応し、第３のステップ１５６は、ステップ１２６の後に送出機４の出力端子４２において観測されるデータに対応する。
【００６０】
グループ識別子ｇは、現在のセットＳ（ｇ）に対応する現在のセットグループ１５９、Ｇ（ｇ）に割り当てられた識別子である。
【００６１】
第１のステージ１５２において、直列に配列されたデータの第１のデータフレーム１５８は、
現在のセット１５９、すなわち、３つの後続のユーザデータパケット１６０、１６２、１６４のＳ（ｇ）、
この現在のセット１５９に先行する、図３に部分的に示された前のセットＳ（ｇ−１）に対応する前のグループ１６６、Ｇ（ｇ−１）、及び
この現在のセット１５９の次に続く、現在のセット１５９すなわちＳ（ｇ）に対応するグループ１６８、Ｇ（ｇ）を含む。
第１のデータフレーム１５８は、一例として、２つの余分なユーザデータパケット１７０、１７２も含む。これらの余分なユーザデータパケットは、現在のセット１５９に属さない。第１のユーザデータパケット１７０は、前のグループ１６６の前に位置し、前のセットＳ（ｇ−１）に属する場合があり、第２のユーザデータパケット１７２は、現在のグループ１６８の後に位置し、次のセットＳ（ｇ＋１）に属する場合がある。
【００６２】
データの現在のセット１５９は、この例では、２に等しい中間優先レベルに関連付けられるユーザデータパケット１６４、及び１に等しい最も低い優先レベルに関連付けられる２つのユーザデータパケット１６０、１６２を示す。
【００６３】
前のグループ１６６、Ｇ（ｇ−１）は、カウントマーカ１７４及びこれに先行する３つの優先レベルマーカ１７６、１７８、１８０を含む。第１の優先レベルマーカ１７６は、１に等しい優先レベルに対応し、第２の優先レベルマーカ１７８は、２に等しい優先レベルに対応し、第３の優先レベルマーカ１８０は、３に等しい優先レベルに対応する。
【００６４】
現在のグループ１６８、すなわちＧ（ｇ）は、カウントマーカ１８２、すなわちＣ（ｇ）及びこの次に続く３つの優先レベルマーカ１８４、１８６、１８８を含む。第１の優先レベルマーカ１８４、すなわちＭ（ｇ，１）は、１に等しい優先レベルに対応し、第２の優先レベルマーカ１８６、すなわちＭ（ｇ，２）は、２に等しい優先レベルに対応し、第３の優先レベルマーカ１８８、Ｍ（ｇ，３）は、３に等しい優先レベルに対応する。
【００６５】
カウントマーカ１７４及び各優先レベルマーカ１７６、１７８、１８０は、同じグループ識別子ｇ−１及び送出機４の送出機識別子ｅを含む。
【００６６】
カウントマーカ１８２及び各優先レベルマーカ１８４、１８６、１８８は、同じグループ識別子ｇ及び送出機４の送出機識別子ｅを含む。
【００６７】
第２のステージ１５４では、第１のデータフレーム１５８に対応する第２のデータフレーム１９０が、３つのキューイングファイルデータフレーム１９２、１９４、１９６に並列に分配される。キューイングファイルデータフレーム１９２、１９４、１９６は、それぞれ、図１のキューイングファイルバッファ５２、５４、５６内に含まれる。
【００６８】
最も低い優先レベル１に対応する第１のキューイングファイルデータフレーム１９２では、余分なユーザデータパケット１７０、次の第１の優先レベルマーカ１７６、次のグループ１５９の２つのユーザデータパケット１６０、１６２、次の第１の優先レベルマーカ１８４、次の余分なユーザデータパケット１７２が直列に配列されている。
【００６９】
中間の優先レベル２に対応する第２のキューイングファイルデータフレーム１９４では、前のセットＳ（ｇ−１）に対応する次の優先レベルマーカ１７８、２に等しいレベル優先度を有するグループ１５９、すなわちＧ（ｇ）の次のユーザデータパケット１６４、グループ１５９に対応する次の優先レベルマーカ１８６が直列に配列されている。
【００７０】
最も高い優先レベル３に対応する第３のキューイングファイルデータフレーム１９６では、この例では、ユーザデータパケットは含まれていない。しかしながら、第３のキューイングファイルデータフレームは、ユーザデータパケットを含むことができる。ここでは、第３のキューイングファイルデータフレームは、前のセットＳ（ｇ−１）に対応するカウントマーカ１７４、Ｃ（ｇ−１）及びその次に続く、セットＳ（ｇ−１）に対応する第３の優先レベルマーカ１８０、Ｍ（ｇ−１，３）、続いて、カウントマーカ１８２、Ｃ（ｇ）及びその次に続く、現在のセット１５９に対応する第３の優先レベルマーカ１８８、Ｍ（ｇ，３）のみを含む。
【００７１】
第３のステージ１５６では、第３のデータフレーム１９８が、送出機４の出力４２において直列に配列された第２のデータフレーム１９０のデータを含む。
【００７２】
第３のデータフレーム１９８は、
カウントマーカ１７４、Ｃ（ｇ−１）、
次の第３の優先レベルマーカ１８０、すなわちＭ（３，ｇ−１）、
次のカウントマーカ１８２、Ｃ（ｇ）、
次の第３の優先レベルマーカ１８８、Ｍ（３，ｇ）、
次の第２の優先レベルマーカ１７８、Ｍ（２，ｇ−１）、
次の２に等しい中間の優先レベルを有するユーザデータパケット１６４、
次の第２の優先レベルマーカ１８６、Ｍ（２，ｇ）、
次の第１の余分なユーザデータパケット１７０、
次の第１の優先レベルマーカ１７６、Ｍ（１，ｇ−１）、
次の最も低い優先レベル１を有するセット１５９の２つのユーザデータパケット１６２、１６０、
次の第１の優先レベルマーカ１８４、Ｍ（１，ｇ）、及び
次の第２の余分なユーザデータパケット１７２を、直列に配列して含む。
【００７３】
一変形では、図２及び図３に記載した方法は、少なくとも２つの送出機を備える伝送システムにおいて実行される。各送出機は、それ自身の送出機識別子ｅによって識別される。
【００７４】
図４によれば、連続性チェックステップ１０８は、５つのループ２０２、２０４、２０６、２０８、２１０に配列されたステップのセットを含む。
【００７５】
ステップ１０８は、少なくとも１つの送出機４について実行される。各送出機は、それ自身の異なる識別子ｅによって識別される。
【００７６】
開始ステップ２１２に続いて、第１のループ２０２の第１のステップ２１４において、保護受信機ユニット１２は、ｅによって識別される各送出機４について、１つ前の対応するグループＧ（ｇ−１，ｅ）の受信からの経過時間を測定し、測定した経過時間を所定のタイムアウト値Ｔｏｕｔと比較する。
【００７７】
測定した経過時間が所定のタイムアウト値Ｔｏｕｔよりも大きい場合、報告ステップ２１６において、その後の動作、すなわちバックアップリンクへの切り替えのために、ｅによって識別される送出機４と受信機との間の連続性欠如に関連する伝送問題が保護切り替え制御ユニットに示される。
【００７８】
測定した経過時間が所定のタイムアウト値Ｔｏｕｔよりも小さい場合、第１のループ２０２の第２のステップ２１８において、保護受信機ユニット１２が、新しい利用可能なデータが受信されているか否かをチェックする。
【００７９】
利用可能なデータが受信されていない場合、ステップ１０８は、ステップ２１４にジャンプすることによって継続する。
【００８０】
このように、第１のループは、ステップ２１４及び２１８を含む。
【００８１】
利用可能なデータが受信されている場合、第１のループ２０２を組み込んだ第２のループ２０４の次のステップ２２０において、受信データがメモリ３４に記憶され、ユーザデータパケット及び要素に分類される。要素は、ｅによって識別される各送出機に関連するそれぞれのカウントマーカ及び優先レベルマーカを含む。
【００８２】
第２のループ２０４の後続のステップ２２２において、保護受信機ユニット１２は、ｅによって識別される各送出機４について、受信された最後の利用可能なデータが、グループＧ（ｇ，ｅ）の最後の要素であるか否か、すなわち、対応する識別子ｇを含み且つ送出機識別子ｅに関連するグループＧ（ｇ，ｅ）に関連する優先レベルマーカＭ（ｐ，ｇ，ｅ）の中の１つのマーカ又はカウントマーカＣ（ｇ，ｅ）であるか否かを調べる。
【００８３】
最後の利用可能な受信データがグループ（Ｇ，ｅ）の最後の要素でない場合、ステップ１０８は、第２のループ２０４の次のステップ２２４に続く。ステップ２２４において、受信機保護ユニット１２は、最後の利用可能な受信データがグループＧ（ｇ，ｅ）の要素であるか否かをチェックする。
【００８４】
最後の利用可能な受信データがグループＧ（ｇ，ｅ）の要素である場合、第２のループ２０４のステップ２２６において、保護受信機ユニット１２は、その要素のグループ識別子ｇを判断し、その要素を、識別子ｇ及び送出機識別子ｅに対応するグループクラスに記憶する。次に、この方法は、ステップ２１４へジャンプする。
【００８５】
このように、第２のループ２０４は、ステップ２１４、２１８、２２０、２２２、２２４、及び２２６を含む。
【００８６】
最後の受信要素がグループＧ（ｇ，ｅ）の要素でない場合、第２のループ２０４を組み込んだ第３のループ２０６のさらなるステップ２２８において、保護受信機ユニット１２は、最後の利用可能な受信データがユーザデータパケットであるか否かをチェックする。
【００８７】
最後の利用可能な受信データがユーザデータパケットでない場合、ステップ１０８はステップ２１４に続く。
【００８８】
このように、第３のループは、ステップ２１４、２１８、２２０、２２２、２２４、２２６、及び２２８を含む。
【００８９】
最後の利用可能な受信データがユーザデータパケットである場合、第３のループ２０６を組み込んだ第４のループ２０８のステップ２３０において、受信ユーザカウンタＵＣＲが１つインクリメントされる。
【００９０】
最後の利用可能な受信データがグループＧ（ｇ，ｅ）の最後の要素である場合、ステップ１０８は、第４のループ２０８を組み込んだ第５のループ２１０の第２の連続性検査ステップ２３２に続く。
【００９１】
第２の連続性ステップ２３２において、保護受信機ユニット１２は、ｅによって識別される送出機に関連付けられるセットＳ（ｇ，ｅ）に属するユーザデータパケットの総数をカウントマーカＣ（ｇ，ｅ）から求める。次に、同じステップ２３２において、保護受信機ユニット１２は、受信ユーザデータカウンタＵＣＲの現在の値とセットＳ（ｇ，ｅ）に属するユーザデータパケットの総数との間の差を計算する。同じステップ２３２において、この差の符号に関する検査が実行される。
【００９２】
差が０よりも小さいとき、すなわち、現在の受信ユーザカウンタＵＣＲが、セットＳ（ｇ，ｅ）に属するユーザデータパケットの総数よりも小さいとき、伝送問題がステップ２３４において報告される。
【００９３】
差が０以上であるとき、第５のループ２１０のステップ２３６において、受信ユーザカウンタＵＣＲは、ステップ２３２において計算された差を更新値として入力することにより更新される。
【００９４】
ステップ１０８は、ステップ２１４にジャンプすることによって継続する。
【００９５】
このように、第５のループ２１０は、ステップ２１４、２１８、２２０、２２２、２３２、２３６を含む。
【００９６】
各優先レベルマーカの、それらマーカに対応するユーザデータパケットに対する決定された相対位置、すなわち、後部の位置は、
パケットの優先度再配列に関わらず、同じグループに属し且つ同じ送出機によって送出されたユーザデータパケットの実際の伝送を追跡することを可能とし、
受信されるデータフローにおけるカウンタの位置に関わらず、対応するカウンタに基づいて、これらのパケットが受信機へのラインを通じて正しく送信されたものとしてそれらパケットをカウントすることを可能とする。
【００９７】
グループの要素の助けにより、連続性チェックは、いかなる優先度再配列が送出機によって行われてもそれに関わらず行われるだけでなく、いかなる余分なデータパケットが伝送中に挿入されてもそれに関わらず行われる。
【００９８】
連続性チェックプロセスは、データ又はデータパケットの完全性監視の厳密且つ複雑な要件を必要とせず、むしろ、物理リンク又は伝送線路を通じて伝送されることが予想されるデータのフローのファジーのような制御である。
【００９９】
図５によれば、伝送システムの第２の実施形態３０２が示されている。伝送システム３０２は、少なくとも１つの送出機３０４及び少なくとも１つの受信機３０６を備える。図５には、１つの送出機３０４のみが示され、１つの受信機３０６のみが示されている。送出機３０４及び受信機３０６は、物理リンク３０８によって互いに接続されている。
【０１００】
伝送システム３０２は、１つの双方向データリンク３１４を通じて送出機３０４に接続された保護送出機ユニット３１０、及び３つの双方向リンク３１６、３１７、３１８を通じて受信機３０６に接続された保護受信機ユニット３１２も備える。
【０１０１】
送出機３０４は、図１の送出機４と同じ構造を有する。
【０１０２】
受信機３０６は、図１の受信機６に基づいており、受信機送りリンク多重分離器ユニット及び受信機戻しリンク多重化器ユニットを単一のユニット３２０内にさらに備える。
【０１０３】
受信機３０６は、送りリンク及び戻しリンクの双方に使用される受信機入力端子３２２及び３つの受信機出力端子３２４、３２６、３２８を有する。各受信出力端子３２４、３２６、３２８は、異なる双方向リンク３１６、３１７、３１８にそれぞれ使用される。各受信機出力端子３２４、３２６、３２８は、異なるパラメータθ１、θ２、θ３に関連付けられている。ここでは、出力端子３２４、３２６、３２８は、パラメータθ１、θ２、θ３にそれぞれ対応する。
【０１０４】
パラメータθ１、θ２、θ３は、例えば、異なるサービス、又は異なるデータ端末の異なるサービス品質若しくは宛先アドレスである。
【０１０５】
保護送出機ユニット３１０及び送出機３０４は、図２の同じステップ１１２、１１４、１１６、１１８、１２０、１２２、１２４、１２６を実行することができる。
【０１０６】
保護送出機ユニット３１０は、図１の受信機保護ユニット１２によって実行されるタスクと同じタスクを実行できる、例えば、メモリ３３２を有するマイクロプロセッサ３３０等の処理ユニットを備える。
【０１０７】
保護受信機ユニット３１２は、３つの別個の保護受信機サブユニット３３４、３３６、３３８を備える。これらの保護受信機サブユニットは、相互接続されておらず、１つの双方向リンク３１６、３１７、３１８にそれぞれ使用されるそれぞれ１つの端子ポート３４０、３４２、３４４を有し、１つの受信機出力端子３２４、３２６、３２８にそれぞれ接続されている。
【０１０８】
保護受信機ユニット３１２の各端子ポート３４０、３４２、３４４は、同じそれぞれのパラメータθ１、θ２、θ３に対応するユーザデータパケット、サービス品質マーカ、及びカウントマーカ等のデータを別個に受信することができる。
【０１０９】
保護受信機ユニット３１２は、保護送出機ユニット３１０から以前に送信されたすべてのマーカ及びユーザデータパケットを戻しリンクのセットを通じて保護送出機３１０へ返信することができる。
【０１１０】
一変形では、保護受信機ユニット３１２は、
１つのそれぞれ異なるパラメータθ１、θ２、θ３に関連付けられるユーザデータパケット及びマーカを各サブユニット３３４、３３６、３３８において受信した後に、
各部分受信ユーザカウンタＵＣＲ（θ１）、ＵＣＲ（θ２）、ＵＣＲ（θ３）について、保護受信機ユニット３１２によって受信され且つ同じパラメータθ１、θ２、θ３に関連するユーザデータパケットの個数をカウントして更新することにより、
異なるユーザデータ部分カウンタＵＣＲ（θ１）、ＵＣＲ（θ２）、ＵＣＲ（θ３）の値を別個に決定することができる。
【０１１１】
保護受信機ユニット３１２の各サブユニット３３４、３３６、３３８は、すべての受信ユーザ部分カウンタＵＣＲ（θ１）、ＵＣＲ（θ２）、ＵＣＲ（θ３）の値を送出機保護ユニット３１０へ返信することもできる。
【０１１２】
図６によれば、図５の伝送システムの第２の実施形態によって実行される方法は、後続のステップのセット４００を含む。
【０１１３】
最初の初期化ステップ４０２において、送出機保護ユニット３１０内に実装される受信ユーザカウンタＵＣＲ及び送出ユーザカウンタＵＣＥが、ここでは０に等しい同じ値に設定される。
【０１１４】
送出ユーザカウンタＵＣＥは、図１の送出機保護ユニット１０において実装されるものと同じカウンタである。送出ユーザカウンタは、１つの関連付けられる送出機３０４について、同じ切断されたセットＳ（ｇ，ｅ）のデータをカウントし、次のセットＳ（ｇ，ｅ）の開始時に再び０に設定される。
【０１１５】
受信ユーザカウンタＵＣＲは、図１の受信機保護ユニット１２において実装されるものと同じカウンタである。受信ユーザカウンタＵＣＲは、保護受信機ユニット１２から受信機３０６及び送出機３０４を通じて返信されたユーザデータパケットをカウントする。
【０１１６】
次に、図２のステップの同じセット１０４が、保護送出機ユニット３１０及び送出機３０４によって実行される。
【０１１７】
次のステップ４０６において、受信機３０６の入力端子３２２における受信データが、異なるパラメータθ１、θ２、θ３に関連する異なるデータストリームに多重分離される。それぞれのデータストリームは、受信機３０６の出力端子３２４、３２６、３２８において出力され、保護受信機ユニット３１２へ伝送される。
【０１１８】
後続のステップ４０８において、保護受信機ユニット３１２によって受信されたマーカ及びユーザデータパケットを含むすべてのデータが、それらデータの受信サブユニット３３４、３３６、３３８に関わらず、受信機３０６及び送出機３０４を通じて保護送出機ユニット３１０へ返信される。
【０１１９】
次に、ステップ４１０において、保護受信機ユニット３１２から受信されたデータは、図４で説明した連続性チェックのステップによって説明された方法と同じ方法で送出機保護ユニット３１０により処理される。
【０１２０】
連続性欠如が検出されると、冗長伝送経路へのスイッチの起動が、ステップ４１２において実行される。
【０１２１】
図７によれば、図５の伝送システムの第２の実施形態の変形によって実行される方法は、後続のステップのセット４２０を含む。
【０１２２】
最初の初期化ステップ４２２において、受信機保護ユニット３１０内に実装される送出ユーザカウンタＵＣＥ、送出機保護ユニット３１０内に実装される受信ユーザカウンタＵＣＲ、及び受信機保護ユニット３１２内に実装される３つの受信ユーザデータ部分カウンタＵＣＲ（１）、ＵＣＲ（２）、ＵＣＲ（３）は、ここでは０に等しい同じ値に設定される。
【０１２３】
次に、図２のステップの同じセット１０４が、保護送出機ユニット３１０及び送出機３０４によって実行される。
【０１２４】
次に、図６の同じステップ４０６が受信機３０６によって実行される。
【０１２５】
後続のステップ４２６において、保護受信機ユニット３１２は、各サブユニット３３４、３３６、３３８において、１つの異なるパラメータθ１、θ２、θ３に関連付けられるユーザデータパケット及びマーカを受信した後に、異なるユーザデータ部分カウンタＵＣＲ（θ１）、ＵＣＲ（θ２）、ＵＣＲ（θ３）の値を別個に求める。
【０１２６】
各ユーザデータ部分カウンタＵＣＲ（θ１）、ＵＣＲ（θ２）、ＵＣＲ（θ３）は、その対応するサブユニットレベル３３４、３３６、３３８が新たなユーザデータパケットを受信するとインクリメントされ、対応するサブユニットレベル３３４、３３６、３３８によってサービス品質マーカが受信されると０にリセットされる。
【０１２７】
同じステップ４２６において、保護受信機ユニット３１２は、サービス品質マーカがユーザデータ部分カウンタの対応するサブユニットで検出されたときはそのユーザデータ部分カウンタがゼロにリセットされる前に達したユーザデータ部分カウンタの値を受信機３０６及び送出機３０４を通じて送出機保護ユニット３１０へ返信する。また、保護受信機ユニット３１２は、サービス品質マーカ及びカウントマーカが受信されたときはあらゆるサービス品質マーカ及びあらゆるカウントマーカを、受信機３０６及び送出機３０４を通じて送出機保護ユニット３１０へ返信する。しかし、ユーザデータパケットは返信しない。
【０１２８】
次に、ステップ４２８において、保護受信機ユニット３１２から受信されたデータが、送出機保護ユニット３１０によって処理される。
【０１２９】
ステップ４２８において、図４のステップと同じステップ２１４、２１６、２１８が、送出機保護ユニット３１０によって実行される。
【０１３０】
同じステップ４２８において、利用可能なデータが受信されている場合、受信データがメモリ３３２に記憶され、ユーザデータ部分カウンタ値及び要素の間で分類される。要素は、ｅによって識別される各送出機に関連するそれぞれのカウントマーカ及び優先レベルマーカを含む。
【０１３１】
ユーザデータ部分カウンタの値が、受信機保護ユーザ３１２からの送信に起因して送出機保護ユニット３１０によって受信されると、受信ユーザデータカウンタＵＣＲの現在の値が、ユーザデータ部分カウンタの受信値を追加することによって更新される。
【０１３２】
ステップ４２８において、図４のステップ２２２、２２４、２２６と同様のステップが、保護送出機ユニット３１０によって実行される。
【０１３３】
最後の利用可能な受信データがグループＧ（ｇ，ｅ）の最後の要素である場合、同じステップ４２８において、保護送出機ユニット３１０は、ｅによって識別される送出機３０４に関連付けられるセットＳ（ｇ，ｅ）に属するデータパケットの総数をカウントマーカＣ（ｇ，ｅ）から求める。
【０１３４】
次に、保護送出機ユニット３１０は、受信ユーザデータカウンタＵＣＲの現在の値と、セットＳ（ｇ，ｅ）に属するユーザデータパケットの総数との間の差を計算する。次に、同じステップ４２８において、この差の符号に関する検査が実行される。
【０１３５】
差が０以上であるとき、受信ユーザカウンタＵＣＲは、計算された差をＵＣＲの更新値として入力することによって更新され、ステップは、図４のステップ２１４と同様のステップにジャンプすることによって再び継続する。
【０１３６】
差が０よりも小さいとき、すなわち、現在の受信ユーザカウンタＵＣＲが、セットＳ（ｇ，ｅ）に属するユーザデータパケットの総数よりも小さいとき、伝送問題がステップ４３０において報告される。
【０１３７】
連続性欠如が検出される場合、冗長伝送経路へのスイッチの起動が、図２のステップ１１０と同様のステップ４１２において実行される。
【０１３８】
図８によれば、伝送ネットワークは、特に受動光ネットワーク５００である。
【０１３９】
受動光ネットワーク５００は、２つの光サブネットワーク５０２、５０４を備える。第１の光サブネットワーク５０２は、名目的に稼働する（nominally working）稼働サブネットワークと呼ばれ、第２の光サブネットワーク５０４は、伝送欠如（transmission default）が稼働サブネットワーク５０２のファイバリンクで発生したときの冗長バックアップサブネットワークとして働く保護サブネットワークと呼ばれる。
【０１４０】
受動光ネットワーク５００は、いくつかの保護ユニットも備える。
【０１４１】
稼働光サブネットワーク５０２は、稼働光回線終端装置５０６（ＯＬＴ）を備える。この稼働光回線終端装置５０６（ＯＬＴ）は、図８には図示しないスイッチに保護ユニットを通じて上流側で接続され、図示しない高速光ネットワーキングインフラストラクチャに属する。
【０１４２】
稼働光サブネットワーク５０２は、稼働光スプリッタ５０８も備える。この稼働光スプリッタ５０８は、稼働専用光ファイバ５１０を通じて稼働光回線終端装置５０６（ＯＬＴ）に上流側で接続されている。
【０１４３】
稼働光サブネットワーク５０２は、いくつかの稼働光ネットワークユニットも備え、ここでは、３つの光ネットワークユニット５１２、５１４、５１６を備える。各光ネットワークユニットは、異なる顧客の建物又はユーザ内に位置し、それぞれの専用ファイバ５１８、５２０、５２２を通じて同じ稼働スプリッタ５０８に接続されている。
【０１４４】
第１のユーザ、第２のユーザ、第３のユーザにそれぞれ関連付けられる第１の稼働光ネットワーク５１２、第２の稼働光ネットワーク５１４、第３の稼働光ネットワーク５１６は、稼働光回線終端装置５０６から稼働スプリッタ５０８への同じ光ファイバ５１０を共有する。
【０１４５】
稼働サブネットワーク５０２では、（光ネットワークユニットから光回線終端装置への）上りリンク及び（光回線終端装置から光ネットワークユニットへの）下りリンクの双方について、単一のファイバ５１０が光ネットワークユニット５１２、５１４、５１６により共有されるので、上りリンクデータ及び下りリンクデータは、レーザの２つの異なる波長を使用して同時に伝送される。このような下りリンク／上りリンクアクセス方式は、波長二重アクセス（wavelength duplex access）と呼ばれる。
【０１４６】
上りリンク方向では、タイムスロットがクラスタの各ユーザに繰り返し割り当てられ、データの伝送が可能にされている。
【０１４７】
タイムスロットは、衝突する可能性のある同時伝送を回避するようにフレームに構成される。ネットワーク端末からＯＬＴへのこのような上りリンクアクセス方式は、従来、時分割多重アクセス（ＴＤＭＡ）と呼ばれている。
【０１４８】
保護光サブネットワーク５０４は、保護光回線終端装置５２６（ＯＬＴ）を備える。この保護光回線終端装置５２６（ＯＬＴ）も、図８に図示しないスイッチに、保護ユニットを通じて上流側で接続され、高速光ネットワーキングインフラストラクチャに属する。
【０１４９】
保護光サブネットワーク５０４は、稼働光スプリッタ５２８も備える。この稼働光スプリッタ５２８は、稼働専用光ファイバ５３０を通じて稼働光回線終端装置５２６（ＯＬＴ）に上流側で接続されている。
【０１５０】
保護光サブネットワーク５０４は、いくつかの保護光ネットワークユニットも備え、ここでは、３つの保護光ネットワークユニット５３２、５３４、５３６を備える。各保護光ネットワークユニットは、１つの異なる稼働光ネットワークユニット５１２、５１４、５１６とそれぞれ対にされ、それぞれの専用ファイバ５３８、５４０、５４２を通じて同じ保護スプリッタ５２８に接続されている。
【０１５１】
第１のユーザ、第２のユーザ、第３のユーザにそれぞれ関連付けられる第１の保護光ネットワークユニット５３２、第２の保護光ネットワークユニット５３４、第３の保護光ネットワークユニット５３６は、保護光回線終端装置５２６から稼働スプリッタ５２８への同じ光ファイバ５３０を共有する。
【０１５２】
上りリンク方向では、各稼働光ネットワークユニット５１２、５１４、５１６は、図１の送出機４とみなされるのに対して、稼働光回線終端装置５０６は、図１の受信機６とみなされる。
【０１５３】
下りリンク方向では、稼働光回線終端装置５０６は、図１の送出機４及び図５の送出機３０４とみなされるのに対して、稼働光ネットワークユニット５１２、５１４、５１６のいずれかは、図１の受信機６及び図５の受信機３０６とみなされる。
【０１５４】
ＯＮＵの保護ユニット５５０、５５２、５５４は、各光ネットワークユニット５１２、５３２、５１４、５３４、５１６、５３６に接続されている。
【０１５５】
第１の保護ユニット５５０は、それぞれ双方向リンク５５６及び５５８を通じて第１の稼働光ネットワークユニット５１２及び第１の保護光ネットワークユニット５３２に接続されている。
【０１５６】
第２の保護ユニット５５２は、それぞれ双方向リンク５６０及び５６２を通じて第２の稼働光ネットワークユニット５１４及び第２の保護光ネットワークユニット５３４に接続されている。
【０１５７】
第３の保護ユニット５５４は、それぞれ双方向リンク５６４及び５６６を通じて第３の稼働光ネットワークユニット５１６及び第３の保護光ネットワークユニット５３６に接続されている。
【０１５８】
ＯＬＴの保護ユニット５７０は、双方向光リンク５７２、５７４を通じて稼働光回線終端装置５０６及び保護回線終端装置５２６に接続されている。
【０１５９】
各保護ユニット５５０、５５２、５５４、５７０は、上りリンク方向又は下りリンク方向のいずれかでファイバの欠如した連続性をチェックするためのステップを実行できる図１及び図２に規定された保護送出機ユニット及び保護受信機ユニットを備える。
【０１６０】
下りリンク方向では、各グループＧ（ｇ）は、各サービス品質及び各受信機について、対応するサービス品質マーカを含む。グループＧ（ｇ）のサービス品質マーカの個数は、したがって、サービス品質の個数に等しく、例えば、受信機の個数（ここでは光ネットワークユニットの個数）を優先レベルの個数に乗算したものに等しい。
【０１６１】
上りリンクでは、すべての光ネットワークユニットから発せられたデータは、対応する光回線終端装置に接続された伝送線路で混合されるので、すべてのマーカは、割り当てられたグループ識別子ｇ及び送出機識別子ｅを有する。送出機識別子は、ここでは、光ネットワークユニット識別子である。
【０１６２】
双方の方向において、１つの光ネットワークユニットのマーカのみが欠落しているとき、スプリッタと光ネットワークユニットとの間の障害のある物理リンクを識別することができる。
【０１６３】
光回線終端装置とスプリッタとの間で問題が発生したとき、すべてのマーカが欠落する。
【０１６４】
カウンタの不一致が検出される場合、問題の箇所を正確に見つけることはできず、稼働サブネットワークのすべてのユーザは、保護サブネットワークに切り替えられる。
【０１６５】
迅速な保護反応を達成するために、マーカは、最小の時間周期及び／又はすでに送信されたユーザデータ量を使用することによって定期的に挿入される。
【０１６６】
有利には、連続性チェックステップは、光ネットワークユニット及び光回線終端装置内から分離され且つ既存のハードウェア及びソフトウェアに単に追加された保護送出機ユニット及び保護受信機ユニット内で実装及び実行される。
【図１】
2010246101.tif 000003
【図２】
2010246101.tif 000004
【図３】
2010246101.tif 000005
【図４】
2010246101.tif 000006
【図５】
2010246101.tif 000007
【図６】
2010246101.tif 000008
【図７】
2010246101.tif 000009
【図８】
2010246101.tif 000010
【外国語明細書】
2010246101.tif 000011
2010246101.tif 000012
2010246101.tif 000013
2010246101.tif 000014
2010246101.tif 000015
2010246101.tif 000016
2010246101.tif 000017
2010246101.tif 000018
2010246101.tif 000019
2010246101.tif 000020
2010246101.tif 000021
2010246101.tif 000022
2010246101.tif 000023
2010246101.tif 000024
2010246101.tif 000025
2010246101.tif 000026
2010246101.tif 000027
2010246101.tif 000028
2010246101.tif 000029
2010246101.tif 000030
2010246101.tif 000031
2010246101.tif 000032
2010246101.tif 000033
2010246101.tif 000034
2010246101.tif 000035
2010246101.tif 000036
2010246101.tif 000037
2010246101.tif 000038
2010246101.tif 000039
2010246101.tif 000040
2010246101.tif 000041
2010246101.tif 000042
2010246101.tif 000043
2010246101.tif 000044
2010246101.tif 000045
2010246101.tif 000046
2010246101.tif 000047
2010246101.tif 000048
2010246101.tif 000049
2010246101.tif 000050